(57)【要約】      （修正有）【課題】部品点数の増加を抑制しつつ棚パネルの配置位置を変更することができる物干し装置を提供する。【解決手段】物干し装置では、脚柱パイプ２４に、長尺棒状の支持バー６０が前後方向を軸方向として回転可能に支持されており、支持バー６０は、サイド棚パネル５０（棚パネル）の前後バー５４−１と係合可能に構成された支持フック６０Ａを有している。そして、サイド棚パネル５０の第１展開位置において、前後バー５４−１と支持フック６０Ａとを係合させることで、サイド棚パネル５０が第１展開位置に保持される。一方、サイド棚パネル５０の第２展開位置において、前後バー５４−１と支持フック６０Ａとを係合させることで、サイド棚パネル５０が第２展開位置に保持される。このため、単一の支持バー６０によって、サイド棚パネル５０を第１展開位置または第２展開位置に支持（保持）することができる。【選択図】図１
0003218824.tif 000002
【実用新案登録請求の範囲】
【請求項１】
上下方向に延在された前後一対の脚柱を幅方向両端部に有するフレームと、
前後方向を軸方向として前後一対の前記脚柱に回転可能に支持され、回転することで、前記フレームの幅方向外側へ延出された第１展開位置又は前記フレームの幅方向内側へ延出された第２展開位置に配置される棚パネルと、
前後方向に延在された長尺棒状に形成され、前後方向を軸方向として前後一対の前記脚柱に回転可能に支持されると共に、前記棚パネルと係合可能に構成された支持フックを有する支持バーと、
を備え、
前記棚パネルの前記第１展開位置において、前記支持フックが前記棚パネルと係合することで、前記棚パネルが前記第１展開位置に保持され、
前記棚パネルの前記第２展開位置において、前記支持フックが前記棚パネルと係合することで、前記棚パネルが前記第２展開位置に保持されることを特徴とする物干し装置。
【請求項２】
前後方向から見て、前記支持バーの回転軸から前記支持バーにける前記棚パネルとの係合部位までの距離が、前記棚パネルの回転軸から前記棚パネルにおける前記支持バーとの係合部位までの距離と比べて長く設定されている請求項１に記載の物干し装置。
【請求項３】
前記棚パネルの上側には、長尺棒状の物干しバーが設けられており、
前記物干しバーの基端部が、前記脚柱の外周部に螺旋状に巻き回され且つ前記脚柱に着脱可能に係止された螺旋状係止部として構成され、当該物干しバーが平面視で前記脚柱から延出されている請求項１又は請求項２に記載の物干し装置。
【請求項４】
前記物干しバーには、前記螺旋状係止部を被覆するカバーが設けられており、前記カバーが弾性部材によって構成されている請求項３に記載の物干し装置。
【請求項５】
前記螺旋状係止部は、前記脚柱の外周部に１巻きに巻き回されており、
上下方向における前記螺旋状係止部の起点部と終端部との離間距離が、前記脚柱の直径よりも大きく設定されている請求項３又は請求項４に記載の物干し装置。
【考案の詳細な説明】
【技術分野】
【０００１】
本考案は、物干し装置に関する。
【背景技術】
【０００２】
下記特許文献１には、折り畳み式物干しが記載されている。この物干しでは、中央枠体と、左側枠体と、右側枠体と、によって物干しの骨格フレームが構成されている。また、この物干しは、ワイヤハンガー（棚パネル）を有しており、ワイヤハンガーの配置位置が、骨格フレームの内側又は外側に変更可能に構成されている。具体的には、左側枠体及び右側枠体を構成するパイプにハンガー用ジョイントがそれぞれ組付けられ、ハンガー用ジョイントによってワイヤハンガーが回転可能に支持されている。そして、ワイヤハンガーが、ハンガー用ジョイントのハンガー受け又は台座に保持されることで、ワイヤハンガーが、骨格フレームの内側又は外側に配置される構成になっている。
【先行技術文献】
【特許文献】
【０００３】
【特許文献１】特開２００４−５７６８８号公報
【考案の概要】
【考案が解決しようとする課題】
【０００４】
しかしながら、上記物干しでは、上述のように、ワイヤハンガーを保持するための一対のハンガー用ジョイントが、パイプに組付けられているため、物干しの部品点数等が増加する。これにより、物干しでは、部品点数の増加を抑制しつつワイヤハンガーの配置位置を変更できる構造にすることが望ましい。
【０００５】
本考案は、上記事実を考慮して、部品点数の増加を抑制しつつ棚パネルの配置位置を変更することができる物干し装置を提供することを目的とする。
【課題を解決するための手段】
【０００６】
本考案の１又はそれ以上の実施形態は、上下方向に延在された前後一対の脚柱を幅方向両端部に有するフレームと、前後方向を軸方向として前後一対の前記脚柱に回転可能に支持され、回転することで、前記フレームの幅方向外側へ延出された第１展開位置又は前記フレームの幅方向内側へ延出された第２展開位置に配置される棚パネルと、前後方向に延在された長尺棒状に形成され、前後方向を軸方向として前後一対の前記脚柱に回転可能に支持されると共に、前記棚パネルと係合可能に構成された支持フックを有する支持バーと、を備え、前記棚パネルの前記第１展開位置において、前記支持フックが前記棚パネルと係合することで、前記棚パネルが前記第１展開位置に保持され、前記棚パネルの前記第２展開位置において、前記支持フックが前記棚パネルと係合することで、前記棚パネルが前記第２展開位置に保持されることを特徴とする物干し装置である。
【０００７】
本考案の１又はそれ以上の実施形態は、前後方向から見て、前記支持バーの回転軸から前記支持バーにける前記棚パネルとの係合部位までの距離が、前記棚パネルの回転軸から前記棚パネルにおける前記支持バーとの係合部位までの距離と比べて長く設定されている物干し装置である。
【０００８】
本考案の１又はそれ以上の実施形態は、前記棚パネルの上側には、長尺棒状の物干しバーが設けられており、前記物干しバーの基端部が、前記脚柱の外周部に螺旋状に巻き回され且つ前記脚柱に着脱可能に係止された螺旋状係止部として構成され、当該物干しバーが平面視で前記脚柱から延出されている物干し装置である。
【０００９】
本考案の１又はそれ以上の実施形態は、前記物干しバーには、前記螺旋状係止部を被覆するカバーが設けられており、前記カバーが弾性部材によって構成されている物干し装置である。
【００１０】
本考案の１又はそれ以上の実施形態は、前記螺旋状係止部は、前記脚柱の外周部に１巻きに巻き回されており、上下方向における前記螺旋状係止部の起点部と終端部との離間距離が、前記脚柱の直径よりも大きく設定されている物干し装置である。
【考案の効果】
【００１１】
本考案の１又はそれ以上の実施形態によれば、部品点数の増加を抑制しつつ棚パネルの配置位置を変更することができる。
【図面の簡単な説明】
【００１２】
【図１】本実施の形態に係る物干し装置における右側のサイド棚パネルを第１展開位置または第２展開位置に配置した状態を示す前側から見た正面図である。
【図２】本実施の形態に係る物干し装置を示す右斜め前方から見た斜視図である。
【図３】（Ａ）は、図２に示される物干し装置の上側から見た平面図であり、（Ｂ）は、（Ａ）に示される物干し装置の正面図であり、（Ｃ）は、（Ａ）に示される物干し装置の右側から見た側面図である。
【図４】図２に示されるサイド棚パネル周辺を拡大して示す斜視図である。
【図５】（Ａ）は、図２に示される物干しバーの平面図であり、（Ｂ）は、（Ａ）に示される物干しバーを基端側から見た側面図であり、（Ｃ）は、（Ａ）に示される物干しバーを第２方向一方側から見た側面図である。
【図６】（Ａ）は、図５に示される物干しバーの脚柱パイプへの組付け前の状態を示す側面図であり、（Ｂ）は、（Ａ）の物干しバーを係止解除位置に配置した状態を示す側面図であり、（Ｃ）は、（Ａ）の物干しバーを係止位置に配置した状態を示す側面図である。
【考案を実施するための形態】
【００１３】
以下、図面を用いて、本実施の形態に係る物干し装置１０について説明する。なお、図面において適宜示される矢印ＵＰ，矢印ＦＲ，矢印ＲＨは、それぞれ物干し装置１０の上側、前側、右側（幅方向一方側）を示している。そして、以下の説明において、上下、前後、左右の方向を用いて説明するときには、特に断りのない限り、物干し装置１０の上下方向、前後方向、左右方向を示すものとする。
【００１４】
（物干し装置の全体構成について）
図２及び図３に示されるように、物干し装置１０は、物干し装置１０の骨格を構成するフレーム２０と、フレーム２０の下部に組付けられた下側棚部４０と、フレーム２０の幅方向両端部に組付けられた左右一対の「棚パネル」としてのサイド棚パネル５０と、サイド棚パネル５０を支持するための左右一対の支持バー６０と、フレーム２０の脚柱パイプ２４に組付けられた物干しバー７０と、を含んで構成されている。以下、物干し装置１０の各構成について説明する。
【００１５】
（フレームについて）
フレーム２０は、左右一対のサイドフレーム部２２と、一対のサイドフレーム部２２を連結するための第１連結パイプ３０、第２連結パイプ３２、及び第３連結パイプ３４と、を含んで構成されている。
【００１６】
サイドフレーム部２２は、側面視で上下方向に延在された略台形枠状に形成されると共に、複数の円形のパイプ材によって構成されている。具体的には、サイドフレーム部２２は、前後一対の「脚柱」としての脚柱パイプ２４と、サイドフレーム部２２の上端部を構成する上側サイドパイプ２６と、サイドフレーム部２２の下端部を構成する下側サイドパイプ２８と、含んで構成されている。
【００１７】
前後一対の脚柱パイプ２４は、上下方向に延在されており、上側へ向かうに従い前後方向内側（互いに接近する方向）に若干傾斜して配置されている。この脚柱パイプ２４は、上下方向に２分割されている。詳しくは、脚柱パイプ２４の上部が上側脚柱パイプ２４Ｕとして構成され、脚柱パイプ２４の下部が下側脚柱パイプ２４Ｌとして構成されている。そして、上側脚柱パイプ２４Ｕの下端部と下側脚柱パイプ２４Ｌの上端部とが、図示しない連結具によって連結されている。
【００１８】
また、前後一対の下側脚柱パイプ２４Ｌの上端部には、前後方向内側の部位において、後述する支持バー６０を回転可能に支持するための円形状の第１支持孔２４Ｌ１（図１及び図４参照）がそれぞれ貫通形成されている。さらに、前後一対の下側脚柱パイプ２４Ｌの上端部には、第１支持孔２４Ｌ１の下側の位置において、後述するサイド棚パネル５０を回転可能に支持するための円形状の第２支持孔２４Ｌ２（図１及び図４参照）が貫通形成されている。
【００１９】
上側サイドパイプ２６は、前後方向に延在されており、上側サイドパイプ２６の長手方向両端部が下側へ屈曲されている。そして、前後一対の脚柱パイプ２４の上端部が、上側サイドパイプ２６の長手方向両端部に、図示しない連結具によって連結されている。一方、下側サイドパイプ２８は、前後方向に延在されており、下側サイドパイプ２８の長手方向両端部が上側へ屈曲されている。そして、前後一対の脚柱パイプ２４の下端部が、下側サイドパイプ２８の長手方向両端部に、図示しない連結具によって連結されている。
【００２０】
第１連結パイプ３０は、円形のパイプ材によって構成されている。この第１連結パイプ３０は、左右方向に延在されると共に、左右一対のサイドフレーム部２２の上端部に架け渡されている。具体的には、第１連結パイプ３０の長手方向両端部に、図示しない連結具が組付けられ、当該連結具及びネジによって、第１連結パイプ３０の長手方向両端部が、上側サイドパイプ２６の長手方向中間部に連結されている。
【００２１】
第２連結パイプ３２は、第１連結パイプ３０と同様に、円形のパイプ材によって構成されている。この第２連結パイプ３２は、左右方向に延在されると共に、左右一対のサイドフレーム部２２における前側の下端部に架け渡されている。具体的には、第２連結パイプ３２の長手方向両端部に、図示しない連結具が組付けられ、当該連結具及びネジによって、第２連結パイプ３２の長手方向両端部が、下側脚柱パイプ２４Ｌの下端部に連結されている。
【００２２】
第３連結パイプ３４は、第１連結パイプ３０と同様に、円形のパイプ材によって構成されている。この第３連結パイプ３４は、左右方向に延在されると共に、左右一対のサイドフレーム部２２における後側の下端部に架け渡されている。具体的には、第３連結パイプ３４の長手方向両端部が下側へ屈曲されている。そして、第３連結パイプ３４の長手方向両端部が、図示しない連結具及びネジによって、下側脚柱パイプ２４Ｌの下端部に連結されている。
【００２３】
（ロア棚パネル）
下側棚部４０は、複数の線材によって構成されて、平面視で矩形格子状に形成されている。具体的には、下側棚部４０は、下側棚部４０の外周部を構成する矩形枠状の枠部４２と、左右方向に延在された複数（本実施の形態では、９本）の左右バー４４と、前後方向に延在された複数（本実施の形態では、７本）の前後バー４６と、を含んで構成されている。
【００２４】
左右バー４４は、枠部４２の上側に隣接して配置されると共に、前後方向に等間隔毎に配置されている。そして、左右バー４４の長手方向両端部が枠部４２に接合されている。前後バー４６は、枠部４２の下側に隣接して配置されると共に、左右方向に等間隔毎に配置されている。そして、前後バー４６の長手方向両端部が枠部４２に接合されている。
【００２５】
また、下側棚部４０の幅方向両端部及び幅方向中央部に配置された３本の前後バー４６には、前端部において、前側係合フック４６Ａが形成されている。前側係合フック４６Ａは、上側へ隆起されると共に、側面視で下側へ開放された略逆Ｕ字形状に形成されている。さらに、左から２番目、４番目、６番目の３本の前後バー４６には、後端部において、後側係合フック４６Ｂが形成されている。後側係合フック４６Ｂは、前側係合フック４６Ａと同様に、上側へ隆起されると共に、側面視で下側へ開放された略逆Ｕ字形状に形成されている。そして、前側係合フック４６Ａの内部に第２連結パイプ３２が挿入され、後側係合フック４６Ｂの内部に第３連結パイプ３４が挿入されて、下側棚部４０がフレーム２０に係合された状態で組付けられている。
【００２６】
（サイド棚パネル及び支持バーについて）
図１〜図４に示されるように、一対のサイド棚パネル５０及び支持バー６０は、それぞれ左右対称に構成されている。このため、以下の説明では、右側のサイド棚パネル５０及び支持バー６０について説明し、左側のサイド棚パネル５０及び支持バー６０の説明については省略する。
サイド棚パネル５０は、複数の線材によって構成されると共に、平面視で矩形格子状に形成されている。具体的には、サイド棚パネル５０は、サイド棚パネル５０の外周部を構成する外周バー５２と、前後方向に延在された複数（本実施の形態では、４本）の前後バー５４と、を含んで構成されている。
【００２７】
外周バー５２は、平面視で、左側へ開放された略Ｕ字形状に屈曲されている。外周バー５２の長手方向両端部には、前後方向外側へ屈曲された支持部５２Ａが形成されている。そして、支持部５２Ａが、フレーム２０の第２支持孔２４Ｌ２内に回転可能に挿入されている。すなわち、サイド棚パネル５０が、前後方向を軸方向としてフレーム２０の脚柱パイプ２４に回転可能に支持されている。
【００２８】
前後バー５４は、外周バー５２の下側に隣接して配置されると共に、左右方向に等間隔毎に配置されている。そして、前後バー５４の長手方向両端部が、外周バー５２に接合されている。また、前後バー５４における、最も左側に配置された前後バー５４は、後述する支持バー６０と係合可能に構成されている。そして、以下の説明では、支持バー６０と係合可能に構成された前後バー５４を、他の前後バー５４と区別するために、前後バー５４−１として説明する。
【００２９】
支持バー６０は、前後方向に延在された長尺棒状に形成されて、所定の形状に屈曲されている。支持バー６０の長手方向両端部には、支持フック６０Ａがそれぞれ形成されており、支持フック６０Ａは、前側から見て、略Ｊ字形状に屈曲されると共に、正面視で右側へ向かうに従い下側へ傾斜して配置されている。そして、支持フック６０Ａの基端部が、前後方向外側へ屈曲されて、フレーム２０の第１支持孔２４Ｌ１内に回転可能に挿入されている。すなわち、支持バー６０が、前後方向を軸方向としてフレーム２０の脚柱パイプ２４（下側脚柱パイプ２４Ｌ）に回転可能に支持されている。また、支持バー６０の長手方向中間部は、連結バー６０Ｂとして構成されており、連結バー６０Ｂは、左右方向に延在されて、支持フック６０Ａの先端部同士を連結している。また、支持フック６０Ａの先端側における屈曲した部位が、支持フック部６０Ａ１として構成されている。
【００３０】
また、支持バー６０の回転軸から支持フック部６０Ａ１（すなわち、支持バー６０におけるサイド棚パネル５０との係合部位）までの距離が、サイド棚パネル５０の回転軸からサイド棚パネル５０の前後バー５４−１（すなわち、サイド棚パネル５０における支持バー６０との係合部位）までの距離と比べて長く設定されている。
【００３１】
ここで、サイド棚パネル５０が、サイドフレーム部２２から物干し装置１０の幅方向外側へ延出された状態において、サイド棚パネル５０の前後バー５４−１が、支持バー６０の支持フック６０Ａの内部に配置されることで、サイド棚パネル５０の下側への回転が支持バー６０によって制限されるようになっている（図１において実線にて示される位置であり、以下、サイド棚パネル５０におけるこの位置を「第１展開位置」と称する）。つまり、サイド棚パネル５０の第１展開位置では、サイド棚パネル５０と支持バー６０とが係合して、サイド棚パネル５０が第１展開位置に保持されるように構成されている。
【００３２】
一方、サイド棚パネル５０が、サイドフレーム部２２から物干し装置１０の幅方向内側へ延出された状態において、サイド棚パネル５０の前後バー５４−１が、支持バー６０の支持フック６０Ａの内部に配置されることで、サイド棚パネル５０の下側への回転が支持バー６０によって制限されるようになっている（図１において２点鎖線にて示される位置であり、以下、サイド棚パネル５０におけるこの位置を「第２展開位置」と称する）。つまり、サイド棚パネル５０の第２展開位置では、サイド棚パネル５０と支持バー６０とが係合して、サイド棚パネル５０が第２展開位置に保持されるように構成されている。よって、本実施の形態では、サイド棚パネル５０が、支持バー６０によって、フレーム２０の幅方向外側に配置された第１展開位置、又はフレーム２０の幅方向内側に配置された第２展開位置に保持される構成になっている。
【００３３】
（物干しバーについて）
物干しバー７０は、略長尺棒状に形成されている。そして、物干しバー７０の基端部が、フレーム２０の脚柱パイプ２４（上側脚柱パイプ２４Ｕ）に組付けられて、物干しバー７０が、平面視で、脚柱パイプ２４から延出されている。なお、図２及び図３に示される例では、物干しバー７０が、右前側の脚柱パイプ２４の上部に組付けられて、平面視で、脚柱パイプ２４から右斜め前方側へ延出されている。すなわち、平面視で、物干しバー７０の先端側の部分が、サイド棚パネル５０と重ならない位置に配置されている。
【００３４】
以下、図５を用いて、物干しバー７０の構成について説明する。なお、以下の説明では、平面視において、物干しバー７０の長手方向（延在方向）を第１方向（図５（Ａ）及び（Ｃ）の矢印Ａ１及び矢印Ａ２参照）と称し、第１方向に直交する方向を第２方向（図５（Ａ）及び（Ｂ）の矢印Ｂ１及び矢印Ｂ２参照）と称する。
【００３５】
物干しバー７０は、物干しバー７０の基端部（図５（Ａ）及び（Ｃ）の矢印Ａ１方向側の端部）を構成する螺旋状係止部７２と、螺旋状係止部７２から第１方向に沿って先端側（図５（Ａ）及び（Ｃ）の矢印Ａ２方向側）延出されたバー本体部７４と、を含んで構成されている。そして、バー本体部７４が、第２方向から見て、物干しバー７０の先端側へ向かうに従い上側へ若干傾斜されている。また、バー本体部７４の先端部には、ハンガーなどを吊り下げるためのバーフック部７４Ａが形成されている。このバーフック部７４Ａは、第２方向から見て、下側へ隆起されると共に、上側へ開放された略Ｕ字形状に屈曲されている。
【００３６】
螺旋状係止部７２は、脚柱パイプ２４の外周部に螺旋状に略１巻きに巻き回されると共に、平面視で、略楕円状に屈曲されている。より詳しくは、螺旋状係止部７２は、平面視で、物干しバー７０の先端側へ向かうに従い第２方向一方側（図５（Ａ）の矢印Ｂ１方向側）へ傾斜する方向を長軸とする略楕円状に屈曲されている。また、螺旋状係止部７２の終端部７２Ａ（螺旋状係止部７２における開放端部）が、螺旋状係止部７２の起点部７２Ｂ（螺旋状係止部７２におけるバー本体部７４との境界部分）の下側に配置されるように、螺旋状係止部７２が螺旋状に屈曲されている。そして、螺旋状係止部７２がバー本体部７４よりも第２方向一方側へ突出されている。つまり、螺旋状係止部７２が、終端部７２Ａと起点部７２Ｂとの間において、第２方向他方側（図５（Ｂ）の矢印Ｂ２方向側）へ開放されている。
【００３７】
また、螺旋状係止部７２の終端部７２Ａと起点部７２Ｂとの上下方向の離間距離Ｌが、脚柱パイプ２４の直径Ｄよりも大きく設定されている。そして、脚柱パイプ２４が螺旋状係止部７２の内部に配置されて、螺旋状係止部７２が脚柱パイプ２４の外周部を巻き回されている。また、この状態では、螺旋状係止部７２の終端部７２Ａと、螺旋状係止部７２の起点側の屈曲部７２Ｃと、によって、脚柱パイプ２４を挟み込むようにして、螺旋状係止部７２が脚柱パイプ２４に係止されている（図５（Ｃ）及び図６（Ｃ）に示される位置であり、物干しバー７０のこの位置を「係止位置」という）。
【００３８】
また、物干しバー７０の係止位置において物干しバー７０の先端部（バーフック部７４Ａ）を持上げるように物干しバー７０を脚柱パイプ２４に対して相対回転させることで、螺旋状係止部７２の終端部７２Ａと屈曲部７２Ｃとによる脚柱パイプ２４の挟込状態が解除される構成になっている（図６（Ｂ）に示される位置であり、物干しバー７０のこの位置を「係止解除位置」という）。したがって、物干しバー７０の螺旋状係止部７２が脚柱パイプ２４に係脱可能に係止される構成になっている。そして、物干しバー７０を係止解除位置に配置することで、物干しバー７０が脚柱パイプ２４に対して上下方向に相対移動できるようになっている。すなわち、物干しバー７０が、その基端部において、脚柱パイプ２４に相対移動可能に組付けられており、上下方向における物干しバー７０の位置を、任意の位置に変更できる構成になっている。
【００３９】
また、物干しバー７０の基端部には、螺旋状係止部７２及びバー本体部７４の一部を被覆するカバー７６が設けられている。このカバー７６は、ゴム等の弾性部材によって構成されている。このため、物干しバー７０の係止位置において、螺旋状係止部７２が脚柱パイプ２４に係止されるときには、カバー７６が、脚柱パイプ２４によって押圧され、弾性変形した状態で脚柱パイプ２４に密着する構成になっている。
【００４０】
（作用効果）
次に、本実施の形態の作用及び効果について説明する。
【００４１】
上記のように構成された物干し装置１０では、サイド棚パネル５０が、フレーム２０におけるサイドフレーム部２２（脚柱パイプ２４）に前後方向を軸方向として回転可能に支持されている。そして、サイド棚パネル５０を回転させることで、サイド棚パネル５０が第１展開位置または第２展開位置に配置される。
【００４２】
ここで、サイドフレーム部２２（脚柱パイプ２４）には、前後方向に延在された長尺棒状の支持バー６０が前後方向を軸方向として回転可能に支持されている。この支持バー６０は、支持フック６０Ａを有しており、支持フック６０Ａはサイド棚パネル５０の前後バー５４−１と係合可能に構成されている。
【００４３】
そして、サイド棚パネル５０及び支持バー６０をフレーム２０の幅方向外側へ回転させて、サイド棚パネル５０の前後バー５４−１を支持バー６０の支持フック６０Ａの内部に配置して、前後バー５４−１と支持フック部６０Ａ１とを係合させることで、サイド棚パネル５０が第１展開位置に保持される。
一方、サイド棚パネル５０及び支持バー６０をフレーム２０の幅方向内側へ回転させて、サイド棚パネル５０の前後バー５４−１を支持バー６０の支持フック６０Ａの内部に配置して、前後バー５４−１と支持フック部６０Ａ１とを係合させることで、サイド棚パネル５０が第２展開位置に保持される。
このため、単一の支持バー６０によって、サイド棚パネル５０を第１展開位置または第２展開位置に支持（保持）することができる。
したがって、本実施の形態の物干し装置１０によれば、部品点数の増加を抑制しつつ、サイド棚パネル５０の配置位置を変更することができる。
【００４４】
また、支持バー６０は、長尺棒状に形成されて、所定の形状に屈曲されている。すなわち、ワイヤ等の線材を所定の形状に屈曲加工することで、支持バー６０を成形することができる。したがって、支持バー６０を比較的安価に製作することができると共に、ひいては物干し装置１０のコストアップを抑制することができる。
【００４５】
また、サイド棚パネル５０は、矩形格子状に形成されて、外周バー５２と複数の前後バー５４とを含んで構成されている。そして、上述のように、支持バー６０の支持フック部６０Ａ１が前後バー５４−１と係合することで、支持バー６０が第１展開位置または第２展開位置に配置される。これにより、簡易な構成で、サイド棚パネル５０と支持バー６０とを係合させて、サイド棚パネル５０を第１展開位置または第２展開位置に保持することができる。
【００４６】
また、物干し装置１０では、長尺棒状の物干しバー７０が、サイド棚パネル５０の上側において、フレーム２０の脚柱パイプ２４に組付けられている。具体的には、物干しバー７０の基端部を構成する螺旋状係止部７２が、脚柱パイプ２４の外周部に螺旋状に巻き回されて、脚柱パイプ２４に係脱可能に係止されている。これにより、螺旋状係止部７２と脚柱パイプ２４との係止状態を解除することで、物干しバー７０を脚柱パイプ２４に対して相対移動させることができる。
【００４７】
具体的には、図６（Ｃ）に示される物干しバー７０の係止位置において、物干しバー７０の先端部を持上げて、物干しバー７０を図６（Ｂ）に示される係止解除位置へ回転させることで、物干しバー７０における螺旋状係止部７２の終端部７２Ａと屈曲部７２Ｃとの脚柱パイプ２４に対する挟込状態が解除される。このため、物干しバー７０の脚柱パイプ２４に対する相対移動が可能になる。よって、この状態で物干しバー７０の上下位置を所定位置に合わせて、物干しバー７０の上下位置を変更（調整）することができる。
【００４８】
そして、物干しバー７０の上下位置の変更後では、係止解除位置の物干しバー７０を下側へ回転させて係止位置に配置させることで、物干しバー７０における螺旋状係止部７２の終端部７２Ａ及び屈曲部７２Ｃによって脚柱パイプ２４を挟み込んで、物干しバー７０が脚柱パイプ２４に再び係止される。以上により、例えば、物干しバー７０に吊り下げられる洗濯物の形態に対応して、物干しバー７０の上下方向の位置を変更することができる。したがって、使用者に対する利便性を向上することができる。
【００４９】
また、物干しバー７０の螺旋状係止部７２が、脚柱パイプ２４に係脱可能に係止されているため、物干しバー７０と脚柱パイプ２４とを連結するための連結具を別途設けることなく、物干しバー７０の上下位置を変更しつつ、物干しバー７０を脚柱パイプ２４に連結することができる。したがって、物干しバー７０のコストアップを抑制しつつ、物干しバー７０の上下位置を変更することができる。
【００５０】
しかも、螺旋状係止部７２は、脚柱パイプ２４の外周部に螺旋状に巻き回されて、脚柱パイプ２４に係脱可能に係止されているため、脚柱パイプ２４の強度を確保しつつ、物干しバー７０の上下位置を任意の位置に変更することができる。すなわち、物干しバー７０の上下位置を変更する構造として、例えば、物干しバー７０において螺旋状係止部７２を省略し、且つ、物干しバー７０（バー本体部７４）の基端部を挿入する複数の係合孔を脚柱パイプ２４に形成する構造が考えられる（以下、この構造の物干し装置を、比較例の物干し装置という）。そして、比較例の物干し装置では、物干しバー７０の基端部を所定の係合孔内に挿入することで、物干しバー７０の上下位置を変更することができる。しかしながら、この比較例の物干し装置では、複数の係合孔を脚柱パイプ２４に形成する必要があるため、脚柱パイプ２４の強度が低下すると共に、ひいてはフレーム２０全体の強度が低下する傾向になる。また、比較例の物干し装置では、物干しバー７０が、予め設定された係合孔の上下位置に対応する位置に配置される。このため、比較例の物干し装置では、物干しバー７０の上下位置を、複数の係合孔によって設定された位置以外の位置に変更することができない。
【００５１】
これに対して、本実施の形態では、上述のように、螺旋状係止部７２が、脚柱パイプ２４の外周部に螺旋状に巻き回されて、脚柱パイプ２４に係脱可能に係止されている。このため、比較例のような係合孔を脚柱パイプ２４に形成する必要がなくなる。よって、比較例の物干し装置と比べて、脚柱パイプ２４の強度を高くすることができると共に、ひいてはフレーム２０全体の強度を高くすることができる。また、本実施の形態では、比較例の物干し装置のような、複数の係合孔によって設定された位置以外の位置においても、物干しバー７０を配置することができる。以上により、本実施の形態では、脚柱パイプ２４の強度を確保しつつ、物干しバー７０の上下位置を任意の位置に変更することができる。
【００５２】
また、螺旋状係止部７２が、脚柱パイプ２４の外周部に螺旋状に巻き回されて、脚柱パイプ２４に係脱可能に係止されているため、脚柱パイプ２４の周方向における任意の位置において、螺旋状係止部７２を脚柱パイプ２４に係止させることができる。このため、図２及び図３に示されるように、平面視で、物干しバー７０の先端側の部分をサイド棚パネル５０と重ならない任意の位置に配置することができる。したがって、物干しバー７０の設置自由度を効果的に向上することができる。
【００５３】
また、螺旋状係止部７２は、脚柱パイプ２４の外周部を螺旋状に１巻きに巻き回されており、上下方向における螺旋状係止部７２の終端部７２Ａと起点部７２Ｂとの離間距離Ｌが、脚柱パイプ２４の直径よりも大きく設定されている。これにより、物干しバー７０を脚柱パイプ２４に容易に組付けることができる。
【００５４】
すなわち、図６（Ａ）に示されるように、物干しバー７０を脚柱パイプ２４に組付けるときには、バー本体部７４が脚柱パイプ２４と平行になるように、物干しバー７０を脚柱パイプ２４に対して配置する（以下、物干しバー７０のこの位置を「組付初期位置」と称する）。そして、上述のように、物干しバー７０では、螺旋状係止部７２が螺旋状に１巻きに巻き回されると共に、螺旋状係止部７２の終端部７２Ａと起点部７２Ｂとの離間距離Ｌが、脚柱パイプ２４の直径Ｄよりも大きく設定されている。これにより、組付初期位置において、螺旋状係止部７２の起点部７２Ｂと終端部７２Ａとの間の隙間から脚柱パイプ２４を螺旋状係止部７２の内部に挿入することができる。
【００５５】
そして、図６（Ａ）に示される状態から、螺旋状係止部７２の屈曲部７２Ｃを支点として、物干しバー７０の先端部（バーフック部７４Ａ）を下側へ傾倒させるように、物干しバー７０を回転させる。これにより、螺旋状係止部７２の終端部７２Ａが脚柱パイプ２４の外周部に当接し始める。そして、物干しバー７０を下側へさらに傾倒させて係止位置に配置させる。これにより、図６（Ｃ）に示されるように、物干しバー７０における螺旋状係止部７２の屈曲部７２Ｃと終端部７２Ａとが、脚柱パイプ２４の長手方向から見て、脚柱パイプ２４を挟み込むようになる。これにより、物干しバー７０が脚柱パイプ２４に係止されて、物干しバー７０の脚柱パイプ２４への組付けが完了する。
以上により、物干しバー７０を脚柱パイプ２４に容易に組付けることができる。
【００５６】
また、物干しバー７０には、螺旋状係止部７２を被覆するカバー７６が設けられており、カバー７６は弾性変形可能に構成されている。このため、螺旋状係止部７２の終端部７２Ａと屈曲部７２Ｃとによって脚柱パイプ２４を挟み込むときには、カバー７６が弾性変形して、脚柱パイプ２４の外周部に密着する。これにより、仮に物干しバー７０においてカバー７６を省略した場合と比べて、物干しバー７０と脚柱パイプ２４との接触面積を大きくすることができると共に、カバー７６と脚柱パイプ２４との間の摩擦を大きくすることができる。したがって、物干しバー７０の脚柱パイプ２４への係止状態を良好に維持することができる。
【００５７】
また、フレーム２０では、左右一対のサイドフレーム部２２が、第１連結パイプ３０、第２連結パイプ３２、及び第３連結パイプ３４によって連結されている。しかも、第３連結パイプ３４の長手方向両端部が下側へ屈曲されて、サイドフレーム部２２の後側の下端部を連結している。これにより、フレーム２０全体の剛性を高くすることができる。
【００５８】
なお、本実施の形態では、フレーム２０に左右一対のサイド棚パネル５０及び支持バー６０が設けられているが、左右一対のサイド棚パネル５０及び支持バー６０の一方を省略してもよい。
【００５９】
また、本実施の形態では、物干しバー７０が、右前の脚柱パイプ２４に組付けられているが、物干しバー７０を組付ける脚柱パイプ２４は任意に設定することができる。また、本実施の形態では、１つの物干しバー７０を脚柱パイプ２４に組付けているが、複数の物干しバー７０を脚柱パイプ２４に組付けてもよい。
【００６０】
また、本実施の形態では、物干しバー７０の螺旋状係止部７２が、脚柱パイプ２４の外周部を１巻きに巻き回されているが、螺旋状係止部７２の巻数はこれに限らない。例えば、螺旋状係止部７２の巻数を１巻き以上にしてもよい。
【符号の説明】
【００６１】
１０          物干し装置
２０          フレーム
２２          サイドフレーム部
２４          脚柱パイプ（脚柱）
５０          サイド棚パネル（棚パネル）
６０          支持バー
６０Ａ        支持フック
７０          物干しバー
７２          螺旋状係止部
７２Ａ        螺旋状係止部の終端部
７２Ｂ        螺旋状係止部の起点部
７６          カバー
Ｌ            螺旋状係止部の起点部と終端部との離間距離
Ｄ            脚柱パイプの直径
【図１】
0003218824.tif 000003
【図２】
0003218824.tif 000004
【図３】
0003218824.tif 000005
【図４】
0003218824.tif 000006
【図５】
0003218824.tif 000007
【図６】
0003218824.tif 000008